(57)【要約】【課題】電池の充電状態にかかわらず、充電回路が動作電圧範囲内の電圧を制御回路などの負荷回路に供給する。【解決手段】直列抵抗Ｒ３１は、電池接続端子に電気接続する電池ＢＡと直列に電気接続する。平滑コンデンサＣ２１は、電池接続端子に電気接続する電池ＢＡと直列抵抗Ｒ３１との直列回路と並列に電気接続する。電流生成回路１１０は、平滑コンデンサＣ２１を充電する電流を生成する。平滑コンデンサＣ２１に充電された電圧は、制御電源ＶＣＣとして、マイコン８２０などに供給される。【選択図】図１
2010166695.tif 000002
【特許請求の範囲】
【請求項１】
充電する電池を電気接続する電池接続端子と、
上記電池接続端子と直列に電気接続した抵抗と、
上記電池接続端子と上記抵抗との直列回路と並列に電気接続した平滑コンデンサと、
上記平滑コンデンサを充電する電流を生成する電流生成回路とを有し、
上記平滑コンデンサに充電された電圧を、負荷回路の電源として供給することを特徴とする充電回路。
【請求項２】
上記平滑コンデンサに充電された電圧を電源として供給される負荷回路は、制御回路及び光源の少なくともいずれかであることを特徴とする請求項１に記載の充電回路。
【請求項３】
上記電池接続端子に電気接続する電池を流れる電流が一定となるよう上記電流生成回路を制御する定電流制御回路を有することを特徴とする請求項１または請求項２に記載の充電回路。
【請求項４】
上記平滑コンデンサの両端電圧が一定以下となるよう上記電流生成回路を制御する定電圧制御回路を有することを特徴とする請求項１乃至請求項３のいずれかに記載の充電回路。
【請求項５】
請求項１乃至請求項４のいずれかに記載の充電回路と、
上記平滑コンデンサに充電された電圧を電源として動作し、充電モードと放電モードとを切り換える制御回路と、
上記放電モードにおいて、上記電池接続端子に接続した電池を電源として点灯する光源とを有することを特徴とする照明器具。
【請求項６】
上記光源は、上記充電モードにおいて、上記平滑コンデンサに充電された電圧を電源として点灯することを特徴とする請求項５に記載の照明器具。
【請求項７】
非常灯装置または誘導灯装置であることを特徴とする請求項５または請求項６に記載の照明器具。
【発明の詳細な説明】
【技術分野】
【０００１】
この発明は、電池などを充電する充電回路に関する。
【背景技術】
【０００２】
電池などを充電する充電回路は、充電電流がほぼ一定となるように制御される。このため、出力電圧は、電池の充電状態に左右され、必ずしも一定ではない。
一方、マイコンなどの制御回路を動作させるためには、動作電圧範囲内の電圧を出力する電源が必要となる。このため、充電回路とは別に、電源回路を設ける必要があった。
【先行技術文献】
【特許文献】
【０００３】
【特許文献１】特開２００６−１７３１３９号公報
【発明の概要】
【発明が解決しようとする課題】
【０００４】
制御回路を動作させるための電源を、充電回路から取ることができれば、電気回路の回路構成を簡単にでき、部品数を削減できるので、小型軽量化、製造コストの削減が可能となる。また、電源回路による消費電力をなくすことができるので、省エネになる。
しかし、そのためには、電池の充電状態にかかわらず、充電回路が動作電圧範囲内の電圧を制御回路に供給できることが必要となる。
この発明は、例えば、上記のような課題を解決するためになされたものであり、電池の充電状態にかかわらず、動作電圧範囲内の電圧を制御回路などの負荷回路に供給できる充電回路を得ることを目的とする。
【課題を解決するための手段】
【０００５】
この発明にかかる充電回路は、充電する電池を電気接続する電池接続端子と、上記電池接続端子と直列に電気接続した抵抗と、上記電池接続端子と上記抵抗との直列回路と並列に電気接続した平滑コンデンサと、上記平滑コンデンサを充電する電流を生成する電流生成回路とを有し、上記平滑コンデンサに充電された電圧を、負荷回路の電源として供給することを特徴とする。
【発明の効果】
【０００６】
この発明にかかる充電回路によれば、電池の充電状態にかかわらず、充電回路が動作電圧範囲内の電圧を制御回路などの負荷回路に供給することができる。
【図面の簡単な説明】
【０００７】
【図１】実施の形態１における照明器具８００のブロック構成を示すブロック構成図。
【図２】実施の形態１における充電回路１００の回路構成を示す電気回路図。
【図３】実施の形態１における充電回路１００の各部の電圧電流の一例を示すグラフ図。
【図４】実施の形態２における照明器具８００のブロック構成を示すブロック構成図。
【発明を実施するための形態】
【０００８】
実施の形態１．
実施の形態１について、図１〜図３を用いて説明する。
【０００９】
図１は、この実施の形態における照明器具８００のブロック構成を示すブロック構成図である。
照明器具８００は、例えば、避難誘導灯装置や非常用照明装置などであり、平常時に、商用電源などの交流電源ＡＣから電力の供給を受けて、電池ＢＡ（バッテリ）を充電し、停電時に、電池ＢＡに充電された電力を電源として、光源ＬＡを点灯する。
【００１０】
照明器具８００は、充電回路１００、電圧検出回路８１０、マイコン８２０、充放電切換回路８３０、光源ＬＡを有する。
充電回路１００は、交流電源ＡＣから交流電力を入力し、電池ＢＡを充電する。
電圧検出回路８１０は、交流電源ＡＣから入力する交流電力の電圧を検出する。
マイコン８２０（制御装置）は、例えば、電圧検出回路８１０が検出した電圧に基づいて、停電を検出し、充放電切換回路８３０を放電モードに切り換えるなど、照明器具８００全体を制御する。
充放電切換回路８３０は、マイコン８２０からの指示にしたがって、充電モードと放電モードとを切り換える。平常時において、充放電切換回路８３０は、充電モードとなり、充電回路１００が出力した電流を、電池ＢＡに流入させ、電池ＢＡを充電する。停電時において、充放電切換回路８３０は、放電モードとなり、電池ＢＡに充電された電圧を、光源ＬＡに印加する。
光源ＬＡは、例えば、ＬＥＤなどであり、充放電切換回路８３０が放電モードのとき、電池ＢＡに充電された電圧を印加されて、発光する。なお、光源ＬＡは、ハロゲンランプ、白熱ランプ、蛍光ランプ、冷陰極ランプ、キセノンランプなどであってもよく、点灯回路を内蔵したものであってもよい。
また、照明器具８００は、更に、停電時において避難誘導を音声で報知する音声ユニットなどを有していてもよい。音声ユニットは、光源ＬＡと同様、充放電切換回路８３０が放電モードのとき、電池ＢＡに充電された電圧を電源として動作する。
【００１１】
充電回路１００（バッテリ充電回路）は、電流生成回路１１０、平滑コンデンサＣ２１、直列抵抗Ｒ３１を有する。
電流生成回路１１０は、交流電源ＡＣからの交流電力を入力して、平滑コンデンサＣ２１を充電する電流を生成する。
平滑コンデンサＣ２１は、電流生成回路１１０の出力に電気接続されていて、電流生成回路１１０が生成した電流により充電される。
直列抵抗Ｒ３１（バッテリ直列抵抗）は、充放電切換回路８３０が充電モードのとき、電池ＢＡと直列に電気接続する。直列抵抗Ｒ３１と電池ＢＡとからなる直列回路は、平滑コンデンサＣ２１と並列に電気接続される。
これにより、平滑コンデンサＣ２１に充電された電圧が、直列抵抗Ｒ３１を介して、電池ＢＡに印加され、電池ＢＡを充電する。
また、平滑コンデンサＣ２１に充電された電圧は、制御電源ＶＣＣとして、マイコン８２０の電源入力端子に電気接続される。マイコン８２０（負荷回路）は、制御電源ＶＣＣを電源として動作する。
【００１２】
図２は、この実施の形態における充電回路１００の回路構成を示す電気回路図である。
充電回路１００は、図１で説明した構成のほか、電圧検出回路１４０、電流検出回路１５０、定電流定電圧制御回路１６０、二つの電池接続端子１９１，１９２を有する。
二つの電池接続端子１９１，１９２は、充放電切換回路８３０を介して電池ＢＡを電気接続するための端子であり、電池接続端子１９１が陽極側、電池接続端子１９２が陰極側である。
電圧検出回路１４０は、平滑コンデンサＣ２１の両端に発生した電圧（以下「コンデンサ電圧ｖＣ」と呼ぶ。）を検出するための回路である。電圧検出回路１４０は、例えば、直列に電気接続した二つの分圧抵抗Ｒ４１，Ｒ４２を有し、平滑コンデンサＣ２１と並列に電気接続している。電圧検出回路１４０は、分圧抵抗Ｒ４２の両端に発生した電圧を、電圧検出電圧として出力する。なお、電圧検出回路１４０の抵抗値は十分に大きく、電圧検出回路１４０を流れる電流は、電池ＢＡを流れる電流よりも十分に小さく、無視できるものとする。
電流検出回路１５０は、電池ＢＡ（及び直列抵抗Ｒ３１）を流れる電流（以下「電池電流ｉＢ」と呼ぶ。）を検出するための回路である。電流検出回路１５０は、例えば、電流検出抵抗Ｒ５１であり、電池ＢＡ（及び直列抵抗Ｒ３１）と直列に電気接続している。電流検出回路１５０は、電流検出抵抗Ｒ５１の両端に発生した電圧を、電流検出電圧として出力する。なお、電流検出回路１５０の抵抗値は十分に小さく、電流検出回路１５０における電圧降下は十分に小さく、無視できるものとする。
定電流定電圧制御回路１６０（定電流制御回路・定電圧制御回路）は、電圧検出回路１４０が出力した電圧検出電圧と、電流検出回路１５０が出力した電流検出電圧とに基づいて、電池電流ｉＢ（充電電流）が一定となり、かつ、コンデンサ電圧ｖＣが一定以下となるよう、電流生成回路１１０を制御する。定電流定電圧制御回路１６０は、コンデンサ電圧ｖＣが所定の目標電圧Ｖ０に達しない場合は、電池電流ｉＢが所定の目標電流Ｉ０になるよう制御し、コンデンサ電圧ｖＣが目標電圧Ｖ０に達した場合は、電池電流ｉＢを目標電流Ｉ０より少なくして、コンデンサ電圧ｖＣが目標電圧Ｖ０を超えないよう制御する。
【００１３】
定電流定電圧制御回路１６０は、コントローラＩＣ１６１、出力電流制限抵抗Ｒ６２、フォトカプラＰＣの一次側ＬＥＤを有する。
コントローラＩＣ１６１は、例えば、ローム社製ＢＤ６５５０Ｇなどの定電流定電圧制御用ＩＣである。なお、この図では、コントローラＩＣ１６１に外付けする位相補償用コンデンサなどは省略している。コントローラＩＣ１６１（負荷回路）は、制御電源ＶＣＣを電源として動作する。コントローラＩＣ１６１は、電圧検出電圧入力端子と、電流検出電圧入力端子と、制御出力端子とを有する。電圧検出電圧入力端子は、電圧検出回路１４０の出力に電気接続し、電圧検出回路１４０が出力した電圧検出電圧を入力する。電流検出電圧入力端子は、電流検出回路１５０の出力に電気接続し、電流検出回路１５０が出力した電流検出電圧を入力する。制御出力端子は、高電位あるいは低電位により表わされる制御信号を出力する。コントローラＩＣ１６１は、電圧検出電圧または電流検出電圧のいずれかが目標値を超えた場合、制御出力端子の電圧を低電位とし、それ以外の場合、制御出力端子の電圧を高電位とする。以下、電圧検出電圧及び電流検出電圧の目標値をＶｒｅｆとする。なお、電圧検出電圧の目標値と電流検出電圧の目標値とは、異なっていてもよい。
出力電流制限抵抗Ｒ６２は、一方の端子を制御電源ＶＣＣに電気接続している。
フォトカプラＰＣの一次側ＬＥＤは、陽極端子を出力電流制限抵抗Ｒ６２の他方の端子に電気接続し、陰極端子をコントローラＩＣ１６１の制御出力端子に電気接続している。
コントローラＩＣ１６１の制御出力端子の電位が低電位になると、フォトカプラＰＣの一次側ＬＥＤに出力電流制限抵抗Ｒ６２を介して制御電源ＶＣＣから電流が流れ、フォトカプラＰＣの一次側ＬＥＤが点灯する。コントローラＩＣ１６１の制御出力端子の電位が高電位になると、フォトカプラＰＣの一次側ＬＥＤに電流が流れず、フォトカプラＰＣの一次側ＬＥＤが消灯する。
【００１４】
電流生成回路１１０は、フィルタ回路１１１、ダイオードブリッジＤＢ、平滑コンデンサＣ１４、トランスＴ１５、整流素子Ｄ１８、スイッチング電源ＩＣ１１９、フォトカプラＰＣの二次側フォトトランジスタを有する。
フィルタ回路１１１は、例えば、アクロスザラインコンデンサＣ１２と、コモンモードチョークＬ１３（コイル）とを有し、高周波雑音を遮断する。ダイオードブリッジＤＢ（整流回路）は、交流電源ＡＣから入力した交流電力を全波整流して、脈流電圧を生成する。平滑コンデンサＣ１４は、ダイオードブリッジＤＢが生成した脈流電圧を平滑して、直流電圧を生成する。
トランスＴ１５の一次側巻線Ｌ１６と、スイッチング電源ＩＣ１１９とは、直列に電気接続している。一次側巻線Ｌ１６とスイッチング電源ＩＣ１１９との直列回路は、平滑コンデンサＣ１４と並列に電気接続している。
スイッチング電源ＩＣ１１９は、例えば、パワーインテグレイションズ社製ＴＮＹ２７４−２８０などのスイッチング電源用ＩＣである。スイッチング電源ＩＣ１１９は、高速にスイッチのオンオフを繰り返すことにより、平滑コンデンサＣ１４が平滑した直流電圧から、一次側巻線Ｌ１６を流れる高周波電流を生成する。
一次側巻線Ｌ１６を流れる高周波電流により、トランスＴ１５の二次側巻線Ｌ１７に、高周波電圧が発生する。スイッチング電源ＩＣ１１９がスイッチをオンにすると、トランスＴ１５の一次側巻線Ｌ１６には、平滑コンデンサＣ１４の両端電圧が印加されるので、一次側巻線Ｌ１６を流れる電流は増加していく。この間、二次側巻線Ｌ１７には逆電圧が発生するので、整流素子Ｄ１８の働きにより、二次側巻線Ｌ１７には電流が流れない。スイッチング電源ＩＣ１１９がスイッチをオフにすると、一次側巻線Ｌ１６を流れる電流が０になり、磁束を維持するため、二次側巻線Ｌ１７に電流が流れる。二次側巻線Ｌ１７には、平滑コンデンサＣ２１の両端電圧とほぼ等しい電圧が印加されるので、その後、二次側巻線Ｌ１７を流れる電流は減少していく。整流素子Ｄ１８の働きにより、二次側巻線Ｌ１７には逆方向の電流は流れないので、二次側巻線Ｌ１７を流れる電流が０になると、それ以上は減少しなくなる。これを繰り返すことにより、トランスＴ１５の一次側から二次側へエネルギーが伝達される。トランスＴ１５の一次側から二次側へ伝達されるエネルギーは、スイッチング電源ＩＣ１１９がスイッチをオンにしている期間が長いほど大きくなり、また、スイッチング電源ＩＣ１１９がスイッチをオンオフする頻度が多いほど大きくなる。
整流素子Ｄ１８（二次側整流ダイオード）は、二次側巻線Ｌ１７を流れる電流を整流して、平滑コンデンサＣ２１を充電する方向の電流のみを取り出す。
フォトカプラＰＣの二次側フォトトランジスタは、コレクタ端子が、スイッチング電源ＩＣ１１９の制御入力端子に電気接続し、エミッタ端子が、平滑コンデンサＣ１４の陰極側端子に電気接続している。
スイッチング電源ＩＣ１１９は、制御入力端子から流出する電流の電流値に基づいて、スイッチをオンにするタイミングやオン期間の長さを決定し、上記説明したスイッチング動作をする。制御入力端子から流出する電流の電流値が所定の値より小さい場合、スイッチング電源ＩＣ１１９は、スイッチをオンオフする周期を短くしたり、オン期間を長くしたりすることにより、トランスＴ１５の一次側から二次側へ伝達されるエネルギーを増やす。制御入力端子から流出する電流の電流値が所定の値より大きい場合、スイッチング電源ＩＣ１１９は、スイッチをオンオフする周期を長くしたり、オン期間を短くしたり、スイッチング動作を一時停止したりすることにより、トランスＴ１５の一次側から二次側へ伝達されるエネルギーを減らす。
【００１５】
コントローラＩＣ１６１の制御出力端子の電位が高電位となり、フォトカプラＰＣの一次側ＬＥＤが消灯すると、二次側フォトトランジスタがオフになり、スイッチング電源ＩＣ１１９の制御入力端子から電流が流出しないので、スイッチング電源ＩＣ１１９がトランスＴ１５の一次側から二次側へ伝達されるエネルギーを増やし、電流生成回路１１０が出力する電流が増える。
コントローラＩＣ１６１の制御出力端子の電位が低電位となり、フォトカプラＰＣの一次側ＬＥＤが点灯すると、二次側フォトトランジスタがオンになり、スイッチング電源ＩＣ１１９の制御入力端子から所定の値以上の電流が流出するので、スイッチング電源ＩＣ１１９がトランスＴ１５の一次側から二次側へ伝達されるエネルギーを減らし、電流生成回路１１０が出力する電流が減る。
したがって、電圧検出回路１４０が出力した電圧検出電圧および電流検出回路１５０が出力した電流検出電圧のいずれかが目標値より高くなった場合、平滑コンデンサＣ２１を充電する電流が減り、平滑コンデンサＣ２１の放電により、コンデンサ電圧ｖＣは少しずつ低くなる。コンデンサ電圧ｖＣが低下したことにより、電圧検出電圧及び電流検出電圧がともに目標値より低くなると、平滑コンデンサＣ２１を充電する電流が増え、コンデンサ電圧ｖＣが上昇する。定電流定電圧制御回路１６０は、このようにして、電圧検出電圧及び電流検出電圧が、常に目標値以下となるよう、電流生成回路１１０を制御する。
【００１６】
なお、この例では、電流生成回路１１０と定電流定電圧制御回路１６０との基準電位が異なるため、フォトカプラＰＣを用いて、コントローラＩＣ１６１とスイッチング電源ＩＣ１１９との間を絶縁しているが、電流生成回路１１０と定電流定電圧制御回路１６０との基準電位が等しい場合には、フォトカプラＰＣを用いず、コントローラＩＣ１６１とスイッチング電源ＩＣ１１９とを接続する構成であってもよい。
【００１７】
ここで、分圧抵抗Ｒ４１の抵抗値をＲ１、分圧抵抗Ｒ４２の抵抗値をＲ２、電流検出抵抗Ｒ５１の抵抗値をＲ３とすると、電圧検出回路１４０が出力する電圧検出電圧ｖｖｄ及び電流検出回路１５０が出力する電流検出電圧ｖｉｄは、以下の式で表わすことができる。
【数１１】
2010166695.tif 000003
分圧抵抗Ｒ４１，Ｒ４２及び電流検出抵抗Ｒ５１の抵抗値Ｒ１，Ｒ２，Ｒ３を、以下の式を満たすよう設定する。
【数１２】
2010166695.tif 000004
ただし、Ｖ０はコンデンサ電圧ｖＣの目標電圧、Ｉ０は電池電流ｉＢの目標電流、ＶｒｅｆはコントローラＩＣ１６１における電圧検出電圧及び電流検出電圧の目標値である。
【００１８】
定電流定電圧制御回路１６０が電流生成回路１１０を制御することにより、以下の式が満たされる。
【数１３】
2010166695.tif 000005
ここで、直列抵抗Ｒ３１の抵抗値Ｒ４を、以下の値に設定する。
【数１４】
2010166695.tif 000006
ただし、Ｖ１は、マイコン８２０やコントローラＩＣ１６１の最低動作電源電圧（マイコン８２０とコントローラＩＣ１６１との最低動作電源電圧が異なるときは、高いほう）であり、例えば２Ｖ〜６Ｖである。
【００１９】
電池ＢＡの両端電圧をｖＢ（以下「電池電圧」と呼ぶ。）、直列抵抗Ｒ３１の両端電圧をｖＲ（以下「直列抵抗電圧」と呼ぶ。）とすると、以下の式が成り立つ。
【数１５】
2010166695.tif 000007
数１３が満たされている場合、以下の式が満たされる。
【数１６】
2010166695.tif 000008
【００２０】
図３は、この実施の形態における充電回路１００の各部の電圧電流の一例を示すグラフ図である。
この図において、横軸は時刻、縦軸は電流もしくは電圧を表わす。
【００２１】
時刻ｔ１において、電池ＢＡがまったく充電されていない状態（電池電圧ｖＢ＝０）から充電が開始されたとする。
コンデンサ電圧ｖＣが目標電圧Ｖ０より小さいので、電池電流ｉＢは目標電流Ｉ０と等しくなり、コンデンサ電圧ｖＣは動作最低電圧Ｖ１と等しくなる。
電池ＢＡが徐々に充電されて、電池電圧ｖＢが上昇し、時刻ｔ２において、電池電圧ｖＢが、目標電圧Ｖ０と動作最低電圧Ｖ１との差に等しくなると、コンデンサ電圧ｖＣは、目標電圧Ｖ０に達する。その後、電池電流ｉＢが目標電流Ｉ０より小さくなり、直列抵抗電圧ｖＲが小さくなる。その分、電池ＢＡが充電されていき、最終的に、電池電圧ｖＢが目標電圧Ｖ０に等しくなるまで、電池ＢＡが充電される。
【００２２】
このように、電池ＢＡがまったく充電されていない状態から、電池ＢＡが完全に充電された状態に至るまでのいずれの時点においても、コンデンサ電圧ｖＣは、動作最低電圧Ｖ１以上となる。
したがって、いずれの時点においても、マイコン８２０やコントローラＩＣ１６１は、正常に動作する。
【００２３】
以上説明したように、充電回路１００は、電池接続端子１９１，１９２に電気接続する電池ＢＡと直列抵抗Ｒ３１との直列回路と並列に平滑コンデンサＣ２１を電気接続し、電流生成回路１１０が生成した電流により平滑コンデンサＣ２１を充電するので、電池ＢＡがまったく充電されていない状態であっても、コンデンサ電圧ｖＣが、直列抵抗Ｒ３１における電圧降下（直列抵抗電圧ｖＲ）以上となる。
したがって、平滑コンデンサＣ２１に充電されたコンデンサ電圧ｖＣを、制御回路（マイコン８２０・コントローラＩＣ１６１など）の電源として供給しても、制御回路を正常に動作させることができる。
このため、制御回路に電源を供給するための電源回路を別途設ける必要がなく、充電回路１００の小型軽量化・製造コストの削減・省エネルギー化を図ることができる。
【００２４】
特に、電池接続端子１９１，１９２に電気接続する電池ＢＡに流れる電池電流ｉＢが一定（目標電流Ｉ０）となるように電流生成回路１１０を制御する定電流制御回路（定電流定電圧制御回路１６０）を設けた場合、コンデンサ電圧ｖＣの最小値は、直列抵抗Ｒ３１の抵抗値Ｒ４と目標電流Ｉ０との積となるから、この値が、制御回路の動作最低電圧Ｖ１以上となるよう、直列抵抗Ｒ３１の抵抗値Ｒ４を設定しておけば、電池ＢＡの充電状態にかかわらず、制御回路を正常に動作させることができる。
【００２５】
また、コンデンサ電圧ｖＣが一定（目標電圧Ｖ０）以下となるように電流生成回路１１０を制御する定電圧制御回路（定電流定電圧制御回路１６０）を設けた場合、コンデンサ電圧ｖＣの最大値は、目標電圧Ｖ０以下となるので、目標電圧Ｖ０が、制御回路の動作最高電圧以下となるよう設定しておけば、電池ＢＡの充電状態にかかわらず、制御回路を正常に動作させることができる。
【００２６】
なお、目標電圧Ｖ０が制御回路の動作最高電圧を超えている場合は、コンデンサ電圧ｖＣを制御回路の電源端子に直接印加するのではなく、安定化電源回路（レギュレータ回路）を介して、制御回路の動作最高電圧以下に安定化した電圧を、制御回路の電源端子に印加する構成とすればよい。
【００２７】
照明器具８００（電気回路）が、以上のような充電回路１００を有することにより、電池ＢＡの充電状況如何に関わらず、制御回路を正常に動作させることができるので、制御回路に電源を供給するための電源回路を別途設ける必要がなく、照明器具８００（電気回路）の小型軽量化・製造コストの削減・省エネルギー化を図ることができる。
【００２８】
充電回路１００における消費電力は、直列抵抗Ｒ３１を設けない構成と比較して、直列抵抗Ｒ３１が消費する電力の分だけ多くなる。しかし、直列抵抗Ｒ３１が電力を消費するのは、電池ＢＡが完全に充電されていない間だけであり、電池ＢＡが完全に充電されたのちは、電池電流ｉＢが０になるので、直列抵抗Ｒ３１における消費電力も０になる。
これに対し、制御回路に電源を供給するための電源回路を別途設ける従来の構成の場合、電源回路が常に電力を消費する。
したがって、照明器具８００（電気回路）全体として見れば、従来よりも、消費電力を削減することができる。
【００２９】
平常時には電池ＢＡを充電するだけで待機している非常用照明装置などにおいては、待機中もマイコン８２０などを動作させるため、マイコン８２０などに電源を供給する必要があるが、他の部分は動作させないため、マイコン８２０などに電源を供給するためだけの電源回路を設ける必要がないことによる効果は、特に顕著である。しかし、平常時も光源ＬＡを点灯する照明器具やその他の電気回路においても、同様の効果を奏する。
【００３０】
実施の形態２．
実施の形態２について、図４を用いて説明する。
なお、実施の形態１と共通する部分については、同一の符号を付し、説明を省略する。
【００３１】
図４は、この実施の形態における照明器具８００のブロック構成を示すブロック構成図である。
照明器具８００は、例えば、誘導灯装置や兼用型非常灯装置であり、平常時に、商用電源などの交流電源ＡＣから電力の供給を受けて、電池ＢＡを充電するとともに、光源ＬＡを点灯し、停電時には、電池ＢＡに充電された電力を電源として、光源ＬＡを点灯する。
【００３２】
昇圧回路１７０は、制御電源ＶＣＣの電圧を、光源ＬＡを点灯する電圧に昇圧する。
光源ＬＡは、制御電源ＶＣＣを電源として、昇圧回路１７０により昇圧された電圧により点灯する。すなわち、充電モードにおいて、光源ＬＡ（負荷回路）は、平滑コンデンサＣ２１に充電された電圧を電源として点灯する。
【００３３】
充放電切換回路８３０は、マイコン８２０からの指示にしたがって、充電モードと放電モードとを切り換える。充電モードにおいて、充放電切換回路８３０は、充電回路１００が出力した電流を、電池ＢＡに流入させ、電池ＢＡを充電する。放電モードにおいて、充放電切換回路８３０は、電池ＢＡに充電された電圧を、制御電源ＶＣＣに接続して、マイコン８２０や光源ＬＡの電源とする。
【００３４】
これにより、電池ＢＡの充電状況如何に関わらず、平常時において、昇圧回路１７０に所定の電圧を入力して、光源ＬＡを点灯する電圧を生成することができるので、平常時に光源ＬＡを点灯するための電源を供給する電源回路を別途設ける必要がなく、照明器具８００の小型軽量化・製造コストの削減・省エネルギー化を図ることができる。
【符号の説明】
【００３５】
１００  充電回路、１１０  電流生成回路、１１１  フィルタ回路、１１９  スイッチング電源ＩＣ、１４０  電圧検出回路、１５０  電流検出回路、１６０  定電流定電圧制御回路、１６１  コントローラＩＣ、１７０  昇圧回路、１９１，１９２  電池接続端子、８００  照明器具、８１０  電圧検出回路、８２０  マイコン、８３０  充放電切換回路、ＡＣ  交流電源、ＢＡ  電池、Ｃ１２  アクロスザラインコンデンサ、Ｃ１４，Ｃ２１  平滑コンデンサ、Ｄ１８  整流素子、ＤＢ  ダイオードブリッジ、Ｉ０  目標電流、ｉＢ  電池電流、Ｌ１３  コモンモードチョーク、Ｌ１６  一次側巻線、Ｌ１７  二次側巻線、ＬＡ  光源、ＰＣ  フォトカプラ、Ｒ３１  直列抵抗、Ｒ４１，Ｒ４２  分圧抵抗、Ｒ５１  電流検出抵抗、Ｒ６２  出力電流制限抵抗、Ｔ１５  トランス、Ｖ０  目標電圧、Ｖ１  動作最低電圧、ｖＢ  電池電圧、ｖＣ  コンデンサ電圧、ＶＣＣ  制御電源、ｖＲ  直列抵抗電圧。
【図１】
2010166695.tif 000009
【図２】
2010166695.tif 000010
【図３】
2010166695.tif 000011
【図４】
2010166695.tif 000012